(57)【要約】【課題】赤外線リモコンからの信号により、表示内容の設定変更を行うことができる表示装置において、従来の表示装置では、赤外線リモコンの届く範囲に制限があり、電柱等の高所に取り付けられた場合においては、表示内容の設定変更をするのに手間がかかるという問題があった。【解決手段】受光ユニット２０は、第１のユニット２０ａと、第２のユニット２０ｂからなり、第１のユニット２０ａは、リモコンからの信号を受信する受光部２５と、ギア部３６を備え、第２のユニットは、ウォームギア３２と、ウォームホイール３３とを備え、ウォームホイール３３をドライバ４０で回転させることにより、ウォームギア３２を介し、第１のユニット２０ａが連動して回転する構成とした。【選択図】  図１
2004361617.tif 000002
【特許請求の範囲】
【請求項１】
赤外線リモコンからの信号を受信する受光部を備え、前記赤外線リモコンの信号により表示内容の設定変更を行う表示装置において、前記表示装置は、前記表示装置の本体と独立して可動する受光ユニットを備え、前記受光ユニットは、赤外線リモコンからの信号を受信する受光部と、ウォームホイールと、ウォームギアを備え、前記ウォームホイールを回転させることで、前記ウォームギアを介し、前記受光部が連動し、回転することを特徴とする表示装置。
【請求項２】
前記受光部は、前記表示装置の外部からドライバーを挿入し、前記ドライバーを回転することにより、回転することを特徴とする請求項１記載の表示装置。
【発明の詳細な説明】
【０００１】
【発明の属する技術分野】
本発明はＬＥＤなどの発光体をマトリックス状に配置し、文字、図形などを表示する表示装置に関し、特に、指向性の赤外線リモコンからの信号を受信し表示内容の設定変更を行う表示装置に関するものである。
【０００２】
【従来の技術】
図３は、従来の表示装置の外観図を示したものである。
【０００３】
表示装置１は、図３に示されるように、文字や画像を表示するために複数のＬＥＤなどの発光体をマトリックス状に配置した表示部２と、リモコン信号を受信するための受光部３とを備え、リモコン５を操作することにより、表示部２に表示される内容の設定変更をすることができる。
【０００４】
図４は、図３の矢印４の方向から見た場合の断面図であり、制御回路（図示せず）及び複数のＬＥＤ７が配設された基板８が、フレーム１０に固定された構成をとり、ＬＥＤ７の点滅が、透明な表示パネル６を介し、見えるようになっている。
【０００５】
また、孔１１は、雨水などの水抜き穴である。
【０００６】
このような表示装置１は、町の商店街の店先に設置されたり、場所によっては、図５に示されるように、電柱１５などの高所に取り付けられ、宣伝広告を初め、さまざまな情報を表示部２に表示することで情報提供を行っている。
【０００７】
しかしながら、従来の表示装置では、赤外線リモコンの信号が届く範囲に制限があり、図５に示すように高所に取り付けられた場合においては、赤外線リモコンからの信号が、表示装置の受光部に当たらないため、梯子等により、表示装置の表示パネルの正面に近づき設定変更を行う必要があり、操作の面で問題があった。
【０００８】
このような問題を解決するための先行技術として、特許文献１は、表示装置の側面に箱状の空間を設け、空間の中に、リモコンからの信号を受信する受光部が表示装置本体と独立して可動する受光ユニットを備えたものであり、受光部が可動であるため、設置場所を選ばず、設置時の自由度が向上するというものである。
【０００９】
【特許文献１】
実開平１１−８３７８号公報
【００１０】
【発明が解決しようとする課題】
しかしながら、特許文献１のような従来の表示装置では、受光部が可動であるものの、前記受光部の角度を変える場合においては、まず、雨水の浸入を防止するためのアクリル板を外し、受光ユニットを箱状の空間から取り出し、次に受光部の角度を変更してから、箱状の空間に配設し、次に、再度アクリル板を配設しなければならず、手間がかかり、作業性の面において問題がある。
【００１１】
本発明は、前記問題に鑑み、容易に受光部の角度を変更できる表示装置を提供することを目的とする。
【００１２】
【課題を解決するための手段】
上記目的を達成するために、本発明の表示装置は、請求項１記載のように、表示装置の本体と独立して可動する受光ユニットを備え、前記受光ユニットは、赤外線リモコンからの信号を受信する受光部と、ウォームホイールと、ウォームギアを備え、前記ウォームホイールを回転させることで、前記ウォームギアを介し、前記受光部が連動し、回転することを特徴とする。
【００１３】
また、前記ウォームホイールは、前記表示装置の外部からドライバーを挿入し、前記ドライバーを回転することにより、回転し、前記受光部が回転することを特徴とする。
【００１４】
係る構成によれば、受光部の角度を容易に変更することができる。
【００１５】
【発明の実施の形態】
以下、本発明の実施の形態について、図面を参照しながら説明する。
【００１６】
なお、図面を説明するにあたり、従来と同一構成には、同一符号を付し、説明は省略する。
【００１７】
図１は、本発明の表示装置に係る受光ユニットの内部構造を示す図であり、図１に示されるように、受光ユニット２０は、第１のユニット２０ａと、第２のユニット２０ｂからなり、第１のユニット２０ａは、リモコンからの信号を受信する受光部２５と、受光部２５で受信変換された電気信号を基板に送るためのハーネス３０と、基板に接続するためのコネクタ３１と、ギア部３６を備え、第２のユニットは、ウォームギア３２と、ウォームホイール３３と、基板にネジ止めするための第１の孔３５ａと、第２の孔３５ｂとを備え、ウォームホイール３３をドライバ４０で回転させることにより、ウォームギア３２を介し、第１のユニット２０ａが連動して回転する構成となっている。
【００１８】
また、図２は、図１の受光ユニット２０を表示装置４５内部の基板４２に取り付けた場合を示す要部断面図であり、図２に示されるように、受光ユニット２０は、基板４２に、ネジ５０ａとナット５０ｂにより固定され、基板４２上の回路（図示せず）と受光部２５は、コネクタ３１を介し、電気的に接続される。
【００１９】
また、受光ユニット２０の受光部３５の角度は、水抜き用の穴５１からドライバ４０を矢印４７の方向に差込み、受光ユニット２０内のウォームホイールを回転させることにより、所望の角度に設定することができる。
【００２０】
係る構成によれば、赤外線リモコンからの信号を受信する受光部の角度を、表示装置の外部からドライバーを用いることにより容易に変更することができる。
【００２１】
【発明の効果】
以上、詳細に説明したように、本発明によれば、受光部の角度を容易に変更することができる。
【図面の簡単な説明】
【図１】本発明の表示装置に係る受光ユニットの内部構造を示す図
【図２】本発明に係る受光ユニットを表示装置に取り付けた要部断面図
【図３】従来の表示装置を示す図
【図４】従来の表示装置の断面図
【図５】表示装置を電柱に取り付けた場合を示す図
【符号の説明】
１、４５  表示装置
３  受光部
【図１】
2004361617.tif 000003
【図２】
2004361617.tif 000004
【図３】
2004361617.tif 000005
【図４】
2004361617.tif 000006
【図５】
2004361617.tif 000007